(57)【特許請求の範囲】
【請求項１】
表示電極を形成した前面板と、背面板とを対向配置し、
表示電極は、透明電極と、前記透明電極と少なくとも一部の領域が積層構造となるバスラインからなり、
前記バスラインは、端子部、給電端、中央部分、および終端とを有し、
画像の表示に利用しない領域における前記給電端および前記終端が、前記バスラインと前記透明電極との積層構造であり、
かつ画像の表示に利用しない領域における前記給電端および前記終端の前記バスライン幅が、前記中央部分の前記バスラインの幅よりも広い、
プラズマディスプレイパネル。
【発明の詳細な説明】
【技術分野】
【０００１】
本発明は、プラズマディスプレイパネルに関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板上には、誘電体層および保護層で覆われた１対の走査電極と維持電極とからなる表示電極が平行して複数配列されている。背面基板上には、表示電極に直交する方向に、誘電体層に覆われた複数のデータ電極が互いに平行して配列されている。このデータ電極の間には、放電空間を形成するための隔壁が設けられている。また誘電体層上から隔壁の側面にわたって蛍光体層が形成されている。放電セルには、放電によって紫外線を放射するガスとして、例えばキセノンなどが封入されている。そして放電セル内での放電により発生する紫外線によって蛍光体層が励起され、可視光を発生し映像を表示する。
【０００３】
パネルを駆動するには、１フィールド期間を複数のサブフィールドに分割する方法を用いる。各サブフィールドは、それぞれ初期化期間と書き込み期間と維持期間とから構成されている。初期化期間では、放電セルの初期化放電を行い、引き続いて行われる書き込み期間に必要な壁電荷を形成する。書き込み期間では、走査電極とデータ電極とに書き込みパルスを印加して、放電させるべき放電セルに選択的に壁電荷を形成する。続いて維持期間では、走査電極と維持電極との間に維持パルスを印加して、放電セルを放電させ発光させる。
【０００４】
表示電極はバスラインと透明電極とから構成される。透明電極を形成した後に、バスラインはＡｇなどの導電性材料および有機材料、ガラスなどを含むペーストを塗布し、それを焼成して形成する。有機材料が焼成工程において焼失するために、バスラインの体積が収縮する。この収縮はペースト表面から徐々に起こるため、それに伴ってバスラインの接着面側の表面積よりも放電セル側の表面積が減少し、バスラインには接着表面から反り返る応力が作用する。そのためバスラインの端部が透明電極から剥離しやすくなる。
【０００５】
特に高精細度パネルでは表示電極の本数が増えるため表示電極が細くなり、大型パネルではパネルが大きくなるため表示電極が長くなる。これに伴ってバスラインと透明電極との間の接着力が弱く、また応力が大きくなるために、パネルの製造工程において表示電極の端部における剥離が生じやすくなっている。
【０００６】
このような課題を解決するために、バスラインを透明電極の端部を越えて延長し、バスラインをパネルの前面基板に直に接着して剥離を防ぐ構成が開示されている（例えば、特許文献１参照）。
【特許文献１】特許第３４３１５９６号公報
【発明の開示】
【発明が解決しようとする課題】
【０００７】
しかしながら、上記従来構成のパネルでは導電率の高いバスラインが表示電極の端部から細い幅で延長されて終端している。細い金属物の先端では電圧を加えたときに電界が強くなる電界集中が起こる。この電界集中によって放電破壊が生じやすくなる。そのためにバスラインの端部付近において電界集中によって誤放電が生じやすくなるという課題を有していた。
【０００８】
本発明は、このような従来の課題を解決するものであり、表示電極の端部において誤放電することなくバスラインの剥離を生じないパネルを提供することを目的とする。
【課題を解決するための手段】
【０００９】
上記課題を解決するために本発明のパネルは、表示電極を形成した前面板と、背面板とを対向配置し、表示電極は、透明電極と、前記透明電極と少なくとも一部の領域が積層構造となるバスラインからなり、前記バスラインは、端子部、給電端、中央部分、および終端とを有し、画像の表示に利用しない領域における前記給電端および前記終端が、前記バスラインと前記透明電極との積層構造であり、かつ画像の表示に利用しない領域における前記給電端および前記終端の前記バスライン幅が、前記中央部分の前記バスラインの幅よりも広いことを特徴とする。この構成により、表示電極の端部において誤放電することなくバスラインの剥離を生じないパネルを提供することができる。
【発明の効果】
【００１２】
本発明によれば、表示電極の端部において誤放電することなくバスラインの剥離が生じないパネルを提供することができる。
【発明を実施するための最良の形態】
【００１３】
以下、図面を用いて本発明の実施の形態について詳細に説明する。
【００１４】
（実施の形態１）
図１は本発明の実施の形態１におけるパネル１の分解斜視図である。パネル１は、ガラス製の前面基板２とガラス製の背面基板３とが対向して構成されている。
【００１５】
前面基板２上には、１対の走査電極３２と維持電極４２とからなる表示電極が互いに平行して複数配列されている。走査電極３２は、可視光を透過するＩＴＯ（Ｉｎｄｉｕｍ  Ｔｉｎ  Ｏｘｉｄｅ）などによる透明電極３０と、電極の抵抗値を下げるためにＡｇなどを含む導電性の良いバスライン３１とから構成されている。同様に維持電極４２も、透明電極４０とバスライン４１とから構成されている。また表示電極は誘電体層６で覆われている。さらに誘電体層６を覆うように保護層７が形成されている。
【００１６】
背面基板３上には、表示電極に直交する方向に、第２の誘電体層１０に覆われたデータ電極１１が複数互いに平行して配列されている。隔壁８は、放電空間を区画し放電セルを形成するために、データ電極１１の間に設けられている。また、第２の誘電体層１０上から隔壁８の側面にわたって蛍光体層９が形成されている。
【００１７】
図２は本発明の実施の形態１におけるパネル１の電極構成図である。この図は、映像などが表示されるパネル１の表示面に向かって見た電極構成を示している。以下、表示電極のパネル１における配置について説明する。行方向にｎ本の走査電極３２およびｎ本の維持電極４２が配列され、列方向にｍ本のデータ電極１１が配列されている。そして、１対の走査電極３２と維持電極４２とからなる表示電極と１つのデータ電極１１とが交差した部分に放電セルが形成され、放電セルは放電空間内にｍ×ｎ個形成されている。
【００１８】
パネル１の右側には、走査電極３２から走査電極端子部１２がパネル１の周辺部に引き出されている。この走査電極端子部１２を介して走査電極３２に駆動電圧が印加される。以下では、走査電極３２の走査電極端子部１２側の端部を走査電極３２の給電端６２と呼ぶ。一方、パネル１の左側の走査電極３２の端部を走査電極３２の終端６３と呼ぶ。
【００１９】
同様に、パネル１の左側には維持電極４２から維持電極端子部１３がパネル１の周辺部に引き出されている。この維持電極端子部１３を介して維持電極４２に駆動電圧が印加される。そして維持電極４２の維持電極端子部１３側の端部を維持電極４２の給電端６０と呼ぶ。またパネル１の右側の維持電極４２の端部を維持電極４２の終端６１と呼ぶ。パネル１の上部には、データ電極１１からデータ電極端子部１４がパネル１の周辺部に引き出されている。このデータ電極端子部１４を介して、データ電極１１に駆動電圧が印加される。
【００２０】
図３は本発明の実施の形態１におけるパネル１の表示電極の端部の拡大図である。この表示電極の端部の構成について、詳細に説明する。この図は、表示電極をパネル１の背面側から見て示しており、図２における表示電極とは左右が反対に示されている。図３においては維持電極４２と走査電極３２との端部を拡大して示している。
【００２１】
給電端６０は透明電極４０によって形成されている。そしてバスライン４１は、給電端６０を越えて引き出されており、維持電極端子部１３につながっている。一方、終端６１は透明電極４０によって形成されている。またバスライン４１は、終端６１においてその幅を広くした幅広部２８を有する。
【００２２】
同様に給電端６２は透明電極３０によって形成されている。そしてバスライン３１は、給電端６２を越えて引き出されており、走査電極端子部１２につながっている。一方、終端６３は透明電極３０によって形成されている。そしてバスライン３１は、終端６３において幅広部２９を有する。本実施の形態においては、幅広部２９はパネル１の中央部におけるバスライン３１の幅よりも３倍以上広い幅を備えている。このように走査電極３２は、終端６３において幅の細いバスライン３１の延長が無く、バスライン３１に比べて幅の広い透明電極３０によって終端６３が形成されているので、電界集中が起こりにくく、走査電極３２の終端６３付近における誤放電を抑えることができる。
【００２３】
またバスライン３１の幅広部２９は、パネル１の中央部の画像表示部分におけるバスライン３１の幅よりも３倍以上広い幅と長さとを備えている。そのため、バスライン３１は端部において中央部よりも透明電極３０と強く接着する。そのために焼成などのバスライン３１の形成工程において、バスライン３１の剥離が生じにくいという効果がある。なお、パネル１の終端６１、６３付近の放電セルは、映像などの表示に利用しない。よって、バスライン３１を幅広くしても画像の表示になんら影響しない。そして幅広部２９の長さは、表示に利用しないところまで延長してもよい。
【００２４】
また、維持電極４２の終端６１も幅広部２８を有するので、電極剥離が生じにくくかつ誤放電が生じにくい表示品質に優れたパネルを得ることができるという効果を奏する。なお、実施の形態１における幅広部２８、２９の幅や長さは特に同一でなくてよい。
【００２５】
なお、給電端６０、６２において透明電極３０、４０は終端しているとしたが、走査電極端子部１２、維持電極端子部１３まで引き出されてつながっているとしてもよい。
【００２６】
また、幅広部２８、２９は表示電極の終端６１、６３に形成するとしたが、給電端６０、６２に形成してもよい。このようにすれば給電端６０、６２付近においても電極剥離を生じにくくできる。
【００２７】
（実施の形態２）
図４は本発明の実施の形態２におけるパネル１の表示電極の端部の拡大図である。実施の形態２において、実施の形態１と同様な部分については同一符号を付し、詳細な説明を省略する。実施の形態２における特徴は、透明電極３０、４０に開口部としての４つの円形状の穴４５、４６を設けたことと、それらの円形状の穴４５、４６を介して幅広部２８、２９をガラス製の前面基板２に接着したことである。
【００２８】
４つの円形状の穴４５、４６を介して、バスライン３１、４１はガラス製の前面基板２とも接着している。バスライン３１、４１は透明電極３０、４０よりもガラス製の前面基板２との方が強く接着するので、透明電極３０、４０だけに接着する場合よりも、さらに強く接着する。４つの円形状の穴は幅広部２８、２９で電極剥がれの生じやすい４つの隅付近に設けている。そのために、焼成などのバスライン３１、４１の形成工程において、バスライン３１、４１の剥離が生じにくいという効果がある。
【００２９】
なお、円形状の穴４５、４６はそれぞれ４つとしたが、１つでも接着力が増強されるので、１つでもよい。
【００３０】
（実施の形態３）
図５は本発明の実施の形態３におけるパネル１の表示電極の端部の拡大図である。実施の形態３において、実施の形態２と同様な部分については同一符号を付し、詳細な説明を省略する。実施の形態３における特徴は、透明電極３０、４０に開口部としての４つの矩形の穴４９、５０を設けたことと、それらのうちの少なくとも１つを幅広部２８、２９の終端６１、６３側の縁部を含むようにして形成し、その矩形の穴４９、５０を介して幅広部２８、２９をガラス製の前面基板２に接着したことである。
【００３１】
４つの矩形の穴４９、５０を介してバスライン３１、４１はガラス製の前面基板２とも接着している。このため透明電極３０、４０だけに接着する場合よりも強く接着できる。パネル１の中央部の画像表示部分に比べて、幅広部２８、２９付近ではバスライン３１、４１はガラス製の前面基板２とも強く接着する。また４つの矩形の穴４９、５０は電極が剥がれやすい幅広部２８、２９の終端６１、６３側の縁部を含むようにして形成しているので電極剥離がさらに生じにくい。また焼成などのバスライン３１、４１の形成工程において矩形の穴４９、５０を通じてガスが抜けるため、ガスがこもりにくくなり、バスライン３１、４１の剥離が生じにくいという効果もある。
【００３２】
なお、矩形の穴４９、５０は４つとしたが、１つでも接着力が増強されるので、１つでもよい。
【００３３】
また、幅広部２８と維持電極４２の終端６１とを透明電極４０によって接続することにより、維持電極４２の終端６１においても導電性を良好に保つことができる。そして同様に、幅広部２９と走査電極３２の終端６３とを透明電極３０によって接続することにより、走査電極３２の終端６３においても導電性を良好に保つことができるので、電界集中が起こりにくく、誤放電を抑えることができる。
【００３４】
なお、開口部は円形状や矩形の穴に限らず、楕円状や五角形など任意の形状でもよい。
【産業上の利用可能性】
【００３５】
本発明は、表示電極の端部において誤放電することなくバスラインの剥離を生じないパネルを提供することができるので、そのパネルを使用した表示装置などに有用である。
【図面の簡単な説明】
【００３６】
【図１】本発明の実施の形態１におけるパネルの分解斜視図
【図２】本発明の実施の形態１におけるパネルの電極構成図
【図３】本発明の実施の形態１におけるパネルの表示電極の端部の拡大図
【図４】本発明の実施の形態２におけるパネルの表示電極の端部の拡大図
【図５】本発明の実施の形態３におけるパネルの表示電極の端部の拡大図
【符号の説明】
【００３７】
１    パネル
２    前面基板
３    背面基板
６    誘電体層
７    保護層
８    隔壁
９    蛍光体層
１０    第２の誘電体層
１１    データ電極
１２    走査電極端子部
１３    維持電極端子部
１４    データ電極端子部
２８，２９    幅広部
３０，４０    透明電極
３１，４１    バスライン
３２    走査電極
４２    維持電極
４５，４６    （円形状の）穴
４９，５０    （矩形の）穴
６０    維持電極の給電端
６１    維持電極の終端
６２    走査電極の給電端
６３    走査電極の終端
【図１】
0004742799.tif 000002
【図２】
0004742799.tif 000003
【図３】
0004742799.tif 000004
【図４】
0004742799.tif 000005
【図５】
0004742799.tif 000006